(57)【要約】      （修正有）【課題】カビ等が付着し難く、また、付着しても清掃し易い浴室ユニットの壁目地材を提供する。【解決手段】浴室ユニットの壁面を構成する壁パネル間及び該壁パネルと壁面に設けられた開口部枠との間のいずれかに形成される隙間に先端側から挿入される幹部２ａと、該幹部２ａの基端から該幹部２ａと略直交して左右に延びて取付時において上記隙間を掩蔽する表装部２ｂとを一体的に備え全体として略Ｔ字状に形成された本体２を有する浴室ユニットの壁目地材１であって、上記表装部裏面の左右には、取付時において上記壁面に圧接して止水する少なくとも１対の水密部４が突設され、上記表装部表面には、化粧フィルム５が貼着される。【選択図】  図１
2007321422.tif 000002
【特許請求の範囲】
【請求項１】
浴室ユニットの壁面を構成する壁パネル間及び該壁パネルと壁面に設けられた開口部枠との間のいずれかに生じる隙間に先端側から挿入される幹部と、該幹部の基端から該幹部と略直交して左右に延びて取付時において上記隙間を掩蔽する表装部とを一体的に備え全体として略Ｔ字状に形成された本体を有する浴室ユニットの壁目地材であって、上記表装部裏面の左右には、取付時において上記壁面に圧接して止水する少なくとも１対の水密部が突設され、上記表装部表面には、化粧フィルムが貼着されたことを特徴とする浴室ユニットの壁目地材。
【請求項２】
前記本体は、硬質樹脂材からなり、前記水密部は、軟質樹脂材からなることを特徴とする請求項１記載の浴室ユニットの壁目地材。
【請求項３】
前記化粧フィルムは、前記表装部表面から左右に延伸して表装部端部で折り返されて裏面側にも貼着されたことを特徴とする請求項１記載の浴室ユニットの壁目地材。
【請求項４】
前記化粧フィルムは、前記表装部の裏面側において少なくとも１ｍｍ以上の貼着代を有することを特徴とする請求項３記載の浴室ユニットの壁目地材。
【発明の詳細な説明】
【技術分野】
【０００１】
本発明は、浴室ユニットの壁面を構成する壁パネル間又は壁パネルと壁面に設けられた開口部枠との間に生じる隙間を水密に閉塞する、浴室ユニットの壁目地材に関する。
【背景技術】
【０００２】
一般住戸等で採用される浴室ユニットでは、壁パネルの連結部分の止水は極めて重要であるが、一の壁面を構成する並列した二の壁パネル間については、室内側に露出する目地材を用いることなく止水の目的を達成する連結構造が既に達成されている（例えば、特許文献１参照。）。すなわち、この構造は、図４に示すように、パネル１０３を建て並べて室内に壁を形成する際パネル１０３の隣接する側縁部同士を支柱１０２を介して連結する連結装置において、前記パネル１０３は側縁部を背面方向へ略直角に折曲げた折曲片１１０とこの折曲片１１０の先端を更に室内側内方に折曲した折返し部１１１とを備え、この折返し部１１１をパネル１０３表面側内方へ突出した凸部１０４を備えた前記支柱１０２の室内側開口部１０５内に嵌入し、隣接するパネルの折返し部１１１同士を突合せて弾性的に嵌合係止するものである。
【０００３】
一の壁面を構成する並列した二の壁パネル間については、この目地材不要の構造を採用できても、入隅部分については、図５に示すように、壁パネルの固定及び止水のための目地材を必要としている。すなわち、鋼板を折曲げて断面視正方形状のものの一角を切り落として斜面部１３７を形成し、この斜面部１３７と対向する一角に開口部１０５を設けた支柱１０２を立設し、その開口部１０５を臨む部分には、鋼板の両端部を夫々更に内側に折曲げてパネル表面側内方へ突出させ、パネル１０３の折返し部１１１と衝合する凸部１０４を形成している。そして、この支柱１０２の開口部１０５内に隣接するパネル１０３の折曲片１１０同士を圧入し、両折曲片１１０の隙間１１２にコーナー目地材１３８を押入してパネル３の連結と止水とを完了させている。
【０００４】
この連結構造で採用されているコーナー目地材１３８は、図６に示すように、壁パネル間に生じる隙間に先端側から挿入される幹部１３９ａと、この幹部１３９ａの基端１３９ａ１から幹部と略直交して左右に延びて、隙間を掩蔽する表装部１３９ｂとを一体的に備え、全体として略Ｔ字状に形成された本体１３９に、幹部の左右の側面から斜め後方の外方に向けてそれぞれ突出し前記隙間の側面に接して防水するための少なくとも一対の止水ひれ１４０が設けられてなることが多い。ここで、通常、本体１３９は硬質樹脂材で、止水ひれ１４０は軟質樹脂材で形成される。止水ひれ１４０が隙間１１２に圧入されると、その広さに応じて変形し、隙間１１２を閉塞して、ここからの漏水を防止する（二次止水）。
【０００５】
このコーナー目地材１３８には他に、壁パネル１０３と表装部１３９ｂとの間から水が浸入するのを防止する処置もとられる（一次止水）。それは、図６（ａ）に示すように、表装部１３９ｂの左右の縁端から幹部１３９ａ側外方に且つ先細り状にそれぞれ突出する、軟質樹脂材からなる一対のリップ１４１が設けられて、コーナー目地材１３８の幹部１３９ａが隙間１１２に嵌入されると、このリップ１４１が壁パネル１０３に当接して止水するものである。
【０００６】
また、図６（ｂ）に示すように、この軟質樹脂材が表装部表面も覆うようにして水密部１４２を構成たものもある。これは、表面の見えかかり部を単一部材にすることにより、硬質樹脂材と軟質樹脂材との接合部が筋状に見えないようにし、意匠をより単純で美的にするものである。
【０００７】
また、目地材の他の例として、図７に示すように、先端が二股に分かれた形状からなり、軟質樹脂２０５ａと硬質樹脂２０５ｂとで構成されるものもある（例えば、特許文献２参照。）。軟質樹脂２０５ａの部分は、同図に示すように、鋼板２０８と接触する部分であり、水密性を確保するために用いる。硬質樹脂２０５ｂの部分は、水密材２０５の部材自体の強度を確保するものである。 このような構成にすることにより、先端が二股に分かれている水密材からなるので、壁パネル２０３の表面から水密材２０５を挿入後、先端が図７に示すように壁パネル２０３の折り曲げ部の直交する２辺に嵌合し、水密材がはずれることもなく（二次止水）、さらに水密性も確保される。 この目地材２０５の一次止水は、弾性体である軟質樹脂材２０５ａの復元力により、表装部裏面が壁パネル２０３側に押圧されるように付勢されることによって確保されている。
【０００８】
さらに他の例として、図８に示すものが開示されている。この目地材２２０は、最初の例に示したリップを表装部２２０ａの端部に設けられるのではなく、表装部２２０ａの裏面の左右に、壁面に圧接して止水する２対の水密部２２０ｂとして突設され、これが壁パネル表面に当接することにより、壁パネルと表装部との間から一次止水を行っている（例えば、特許文献３参照。）。この水密部２２０ｂによれば、リップを表装部２２０ａの端部に設ける場合のように、硬質樹脂材と軟質樹脂材との接合部が筋状に見えることはないので、意匠がより単純で美的になる。
【０００９】
このように、上述した従来の目地材の見えかかり部は、図６（ｂ）では軟質樹脂材、図７及び図８では硬質樹脂材、そして、図６（ａ）では、硬質樹脂材の両端に軟質樹脂材が付着したものとなっている。
【特許文献１】特開平６−１０８５６０号公報（図１、図１６）
【特許文献２】特開２０００−２３０３３７号公報（図５）
【特許文献２】特開２００６−２９０２４号公報（図３、図９）
【発明の開示】
【発明が解決しようとする課題】
【００１０】
しかしながら、硬質樹脂材にしろ軟質樹脂材にしろ、表面は程度の差こそあれ、微細な凹凸があり、そのため光沢がない。また、このような表面にはカビが付着し易く、また、清掃に際してもカビが落ち難いという問題がある。
【００１１】
ところで、近年、浴室ユニットも高級化が進み、大理石調の壁パネルや光沢感に富んだ柄等の特徴を持たせた壁パネル等、従来の浴室ユニットに対するイメージを一新する高級感のある壁パネルを用いた浴室ユニットが主流になりつつある。
【００１２】
ところが、このような高級感のある壁パネルを採用しても、従来の光沢のない目地材を用いたのでは、この部分で意匠の連続性が途切れてしまい、浴室ユニットの壁面全体の意匠性の統一感を損なう虞がある。
【００１３】
表層部の外観に光沢感を持たせた見栄えのよい材料、例えば、アクリル系エラストマーが開発されているが、これは非常に高価である。また傷が付き易い上、変形にも弱く、復元性、或るいは柔軟性に乏しいという問題点がある。そのため、水密部として使用するには不都合である。
【００１４】
本発明は、上述した事情を考慮してなされたもので、カビ等が付着し難く、また、付着しても清掃し易い浴室ユニットの壁目地材を提供することを目的とするものである。
【００１５】
本発明の他の目的は、大理石調の壁パネルや光沢感に富んだ柄等の特徴を持たせた壁パネルを採用した場合に、斯かる壁パネルに用いても違和感を与えない美観を有する浴室ユニットの壁目地材を提供することにある。
【課題を解決するための手段】
【００１６】
本発明に係る浴室ユニットの壁目地材は、上述した課題を解決するために、請求項１に記載したように、浴室ユニットの壁面を構成する壁パネル間及び該壁パネルと壁面に設けられた開口部枠との間のいずれかに形成される隙間に先端側から挿入される幹部と、該幹部の基端から該幹部と略直交して左右に延びて取付時において上記隙間を掩蔽する表装部とを一体的に備え全体として略Ｔ字状に形成された本体を有する浴室ユニットの壁目地材であって、上記表装部裏面の左右には、取付時において上記壁面に圧接して止水する少なくとも１対の水密部が突設され、上記表装部表面には、化粧フィルムが貼着されたものである。
【００１７】
前記本体は、好適には、請求項２に記載したように、硬質樹脂材からなり、また、前記水密部は、軟質樹脂材からなる。
【００１８】
また、前記化粧フィルムは、好適には、請求項３に記載したように、前記表装部表面から左右に延伸して表装部端部で折り返されて裏面側にも貼着されることが望ましい。
【００１９】
そして、前記化粧フィルムは、さらに好適には、請求項４に記載したように、前記表装部の裏面側において少なくとも１ｍｍ以上の貼着代を有する物とすることができる。
【発明の効果】
【００２０】
本発明に係る浴室ユニットの壁目地材によれば、カビ等が付着し難く、また、付着しても清掃し易いという効果が得られる。
【００２１】
本発明は、大理石調の壁パネルや光沢感に富んだ柄等の特徴を持たせた壁パネルを採用した場合に、斯かる壁パネルに用いても違和感を与えない美観を与えることができる。
【発明を実施するための最良の形態】
【００２２】
本発明に係る浴室ユニットの壁目地材の実施の形態について、添付図面を参照して説明する。図１は、本発明に係る浴室ユニットの壁目地材１の横断面図である。
【００２３】
壁目地材１は、同図に示すように、壁パネル間又は壁パネルと浴室壁面に設けられた開口部枠との間に形成される隙間に先端側から挿入される幹部２ａと、この幹部２ａの基端２ａ１から幹部２ａと略直交して左右に延びて、隙間に取り付けた時において、隙間を掩蔽する表装部２ｂとを一体的に備え、略Ｔ字状に形成された本体２を主要構成要素とする。
【００２４】
そして、幹部２ａの左右の側面からは、斜め後方の外方に向けてそれぞれ突出し隙間の側面に接して弾性変形し壁面に圧接されて変形し隙間を閉塞して止水する一対の止水ひれ３が設けられる。
【００２５】
また、表装部２ｂ裏面の左右には、突条の水密部４が突設される。この水密部４は、壁目地材１が壁パネルに押圧されると変形して壁パネルに圧着され、水密性を高める。
【００２６】
これら止水ひれ３及び水密部４は、大きな弾性変形が要求されるので、例えばオレフィン系エラストマー等の軟質樹脂材から形成される。
【００２７】
表装部２ｂ表面には、化粧フィルム５が、例えばアルミ蒸着等により取り付けられる。この化粧フィルムは、表装部２ｂ表面から左右に延伸して、表装部２ｂ端部で折り返されて裏面側にも貼着される。これにより、壁目地材１が隙間に取り付けられた時に、化粧フィルム５の小口が室内に露出しないので、浴室使用中にそこから化粧フィルムが剥がれてくることが防止される。
【００２８】
また、この折り返しは、表装部２ｂの裏面側において少なくとも１ｍｍ以上の貼着代を有することが望ましい。これは、化粧フィルムを表装部２ｂに取り付ける際により貼着を確実にするためである。
【００２９】
この場合、表装部２ｂ表面が、例えば軟質樹脂で形成されると、その変形に伴い、化粧フィルム５の表面に皺が生じてしまうので、適切でない。したがって、本体２は、ＡＢＳ樹脂等の硬質プラスティックから成形される。
【００３０】
なお、本実施形態では、止水ひれ３及び水密部４はそれぞれ左右一対設けられているが、これを二対或いはそれ以上設ける構成としてもよい。
【００３１】
次に、本実施形態に係る壁目地材１が取り付けられた状態について、添付図面を参照して説明する。図２は、本実施形態の壁目地材１が浴室ユニットの入隅部に取り付けられた状態を示す平断面図である。
【００３２】
コーナー支柱２０は、同図に示すように、支柱本体２１と保持材２２を主要構成要素とする。支柱本体２１は、亜鉛めっき鋼板やステンレス鋼板等を折曲して断面視略Ｌ字状に成形され、床パン１０に強固に固定される。保持材２２は、同じく亜鉛めっき鋼板やステンレス鋼板等を折曲して、断面視略Ω字状に成形され、この支柱本体２１のＬ字型に内接し、壁パネル５０を保持する。
【００３３】
保持材２２は、両端部を夫々内側に折曲して壁パネル５０表面側内方へ突出した凸部２４を形成し、向い合う凸部２４，２４間に開口部ＯＰ１を設けた構成になっている。また、凸部２４の端部は折曲されて折返し部２３が形成される。保持材２２は、支柱本体２１にビス止めされる。
【００３４】
壁パネル５０の室内側の表面材５１は化粧鋼板等で、また、室外側の裏面材５２は鋼板等で形成され、両者は、両側縁部を除いてプラスターボード、グラスウール等の芯材５３に貼着され一体化される。表面材５１は、側縁部を背面方向（室外側）へ略直角に折曲げた折曲片５４と、この折曲片５４の先端を反転折曲した折返し部５５を形成する。
【００３５】
そして、この保持材２２の開口部ＯＰ１内に隣接する壁パネル５０，５０の折曲片５４，５４同士が挿入され、両折曲片５４，５４の隙間に壁目地材１が嵌挿される。この状態において、止水ひれ３及び水密部はそれぞれ押圧されて変形することにより隙間を閉塞し、止水効果を得ることができる。
【００３６】
続いて、本実施形態に係る壁目地材１が壁パネルと浴室ユニットの出入口を構成する開口のドア枠との間に取り付けられた状態について、図３を参照して説明する。
【００３７】
ドア枠７０は、同図に示すように、その壁パネル５０と当接する側の側縁部には、背面方向（室外側）へ略直角に折曲げた折曲片７４と、この折曲片７４の先端を更に室内側内方に折曲した折返し部７５が形成される。
【００３８】
ドア枠７０近傍において壁パネル５０を保持する保持材３０は、ドア枠７０をビス固定するドア枠連結材７１にビス止めされる。保持材３０は、亜鉛めっき鋼板やステンレス鋼板等を、背面３２及び側面３３，３３からなる断面視溝型に折曲し、側面３３，３３の両端部を夫々更に内側に折曲して壁パネル５０表面側内方へ突出した凸部３４を形成し、向い合う凸部３４，３４間に開口部ＯＰ２を設けた構成になっている。保持材３０は、コーナー支柱２０の保持材同様、ドア枠連結材７１にビス止めされる。
【００３９】
このように形成した隣接する壁パネル５０の折曲片５４とドア枠７０の折曲片７４とを保持材３０の開口部ＯＰ内に挿入すると、折返し部５５，７５によって、保持材３０の凸部３２と折曲片５４，７４との間の隙間を略埋め、折曲片５４，７４間に生じた隙間は、壁目地材１を圧入することにより閉塞され、折曲片５４、７４間に隙間を生じることなく、壁パネル５０を保持材３０に取り付けることができる。
【００４０】
この状態において、止水ひれ３及び水密部はそれぞれ押圧されて変形することにより隙間を閉塞し、止水効果を得ることができる。
【００４１】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００４２】
【図１】本発明に係る浴室ユニットの壁目地材の実施形態を示す断面図。
【図２】本実施形態に係る浴室ユニットの壁目地材を浴室入隅部に取り付けた状態を示す平断面図。
【図３】本実施形態に係る浴室ユニットの壁目地材を壁パネルとドア枠との間に取り付けた状態を示す平断面図。
【図４】壁中間部における従来の壁パネルの連結構造の一例を示す平断面図。
【図５】壁入隅部における従来の壁パネルの連結構造の一例を示す平断面図。
【図６】図４で用いられる壁目地材の例を示す断面図。
【図７】従来の壁目地材の他の例を示す断面図。
【図８】従来の壁目地材のさらに他の例を示す断面図。
【符号の説明】
【００４３】
１  壁目地材
２  本体
２ａ  幹部
２ｂ  表装部
３  止水ひれ
４  水密部
５  化粧フィルム
２０  コーナー支柱
２１  支柱本体
２２  保持材
２３，３５，５５，７５  折返し部
２４，３４  凸部
２５  スリット
２７  コーナー目地材
３０  保持材
４０  支柱連結材
５０  壁パネル
５１  表面材
５２  裏面材
５３  芯材
５４，７４  折曲片
７０  ドア枠
７１  ドア枠連結材
ＯＰ１，０Ｐ２  開口
【図１】
2007321422.tif 000003
【図２】
2007321422.tif 000004
【図３】
2007321422.tif 000005
【図４】
2007321422.tif 000006
【図５】
2007321422.tif 000007
【図６】
2007321422.tif 000008
【図７】
2007321422.tif 000009
【図８】
2007321422.tif 000010